(57)【要約】【課題】バランスのとれた回転子を提供する。【解決手段】回転軸２８が貫通した回転子鉄心３６の内部に複数のマグネット４０が収納された回転子２６において、回転子鉄心３６の両端部をモールド樹脂によってモールドしてカバー部４２を形成し、このカバー部４２にバランス調整用加工部４６をカバー部４２を削除することにより設ける。【選択図】      図２
2007174842.tif 000002
【特許請求の範囲】
【請求項１】
回転軸が貫通した回転子鉄心の内部に複数のマグネットが軸方向に収納された回転子において、
前記回転子鉄心の両端部をモールド樹脂によってモールドしてカバー部を形成し、
前記カバー部にバランス調整用加工部を有する
ことを特徴とする回転子。
【請求項２】
前記カバー部の外周部をリング状に突出させ、前記突出したカバー部に前記バランス調整用加工部を設ける
ことを特徴とする請求項１記載の回転子。
【請求項３】
前記バランス調整用加工部は、前記カバー部の一部を削除することにより設ける
ことを特徴とする請求項１記載の回転子。
【請求項４】
前記バランス調整用加工部は、前記カバー部の一部を変形することにより設ける
ことを特徴とする請求項１記載の回転子。
【請求項５】
前記回転子がインナーロータ型のブラシレスＤＣモータの回転子である
ことを特徴とする請求項１記載の回転子。
【発明の詳細な説明】
【技術分野】
【０００１】
本発明は、インナーロータ型のブラシレスＤＣモータ等のモータの回転子に関するものである。
【背景技術】
【０００２】
従来のインナーロータ型のブラシレスＤＣモータの回転子は、円形の鋼板を積層して回転子鉄心を形成し、この回転子鉄心内部にマグネットを挿入している。そして、このマグネットの抜脱防止のために回転子鉄心の両側をモールド樹脂よってモールドしカバー部を形成している（例えば、特許文献１参照）。
【特許文献１】特開２００４−４８８２９公報
【発明の開示】
【発明が解決しようとする課題】
【０００３】
上記のようなモータにおいては、高速で回転させた場合に回転子のバランスが崩れていると、騒音が発生したりする場合がある。特に、回転子を高速で回転させた場合この騒音の発生が顕著となる。
【０００４】
そこで、本発明は上記問題点に鑑み、バランスのとれた回転子を提供する。
【課題を解決するための手段】
【０００５】
請求項１に係る発明は、回転軸が貫通した回転子鉄心の内部に複数のマグネットが軸方向に収納された回転子において、前記回転子鉄心の両端部をモールド樹脂によってモールドしてカバー部を形成し、前記カバー部にバランス調整用加工部を有することを特徴とする回転子である。
【０００６】
請求項２に係る発明は、前記カバー部の外周部をリング状に突出させ、前記突出したカバー部に前記バランス調整用加工部を設けることを特徴とする請求項１記載の回転子である。
【０００７】
請求項３に係る発明は、前記バランス調整用加工部は、前記カバー部の一部を削除することにより設けることを特徴とする請求項１記載の回転子である。
【０００８】
請求項４に係る発明は、前記バランス調整用加工部は、前記カバー部の一部を変形することにより設けることを特徴とする請求項１記載の回転子である。
【０００９】
請求項５に係る発明は、前記回転子がインナーロータ型のブラシレスＤＣモータの回転子であることを特徴とする請求項１記載の回転子である。
【発明の効果】
【００１０】
本発明の回転子であると、バランス調整用加工部によって回転子のバランスをとることができるため、高速で回転しても騒音が発生しない。
【発明を実施するための最良の形態】
【００１１】
以下、本発明の一実施形態のモールドモータ１０について、図１、図２に基づいて説明する。このモールドモータ１０は、インナーロータ型のブラシレスＤＣモータである。
【００１２】
図１は、モールドモータ１０の縦断面図である。
【００１３】
鋼板を積層した固定子鉄心１２にプレモールドを施すことにより絶縁層１４を形成し、この絶縁層１４にコイル１６が巻回されている。これによってリング状の固定子１８が形成される。
【００１４】
固定子１８の出力側の面には、ドーナツ状のプリント配線基板よりなる配線基板２０が設けられている。この配線基板２０は、絶縁層１４によって構成された支持壁に支持されている。配線基板２０には、モールドモータ１０を駆動する電子部品が取り付けられている。このモールドモータ１０は、ブラシレスＤＣモータであるため、インバータ回路、論理回路等の電子部品が取り付けられ、ＰＷＭ制御を行っている。また、外周部にコネクタ４２が取り付けられている。
【００１５】
上記のように配線基板２０と固定子１８とコネクタ４２をモールド樹脂によって一体成形され、モータフレーム２２が形成されている。このモータフレーム２２は、円筒状であり、また、出力側の面には、金属製のブラケット２４が一体に埋設されている。この出力側のブラケット２４の内周側は、モータフレーム２２から露出した状態となっている。
【００１６】
上記のモータフレーム２２内部に回転子２６を回転自在に配する。
【００１７】
この回転子２６は、円形の鋼板を積層し、回転子鉄心３６を形成する。この回転子鉄心３６の中心部には回転軸２８が貫通している。また、回転軸２８の外周部には挿入孔が形成され、この挿入孔に板状のマグネット４０が４枚挿入されている。マグネット４０が回転子鉄心３６の挿入孔から抜脱しないようにするために、回転子鉄心３６の両端部にはモールド樹脂によってカバー部４２がモールドされている。このカバー部４２は、円板状であって、その外周部がリング状に突出し、リング突部４４を形成している。このリング突部４４は、回転子２６が回転し易いようにフライホイールの役割も果たしている。
【００１８】
上記のようにして形成した回転子２６をモータフレーム２２に取り付ける前に、回転子２６のみを回転させ、その回転バランスを測定する。そして、アンバランスな部分がある場合には、リング突部４４の一部を削除してバランス調整用加工部を形成する。このバランス調整用加工部４６による削除部分は、図２及び図３に示すように、回転子鉄心３６の両端部にあるカバー部４２のリング突部４４を削除することにより平面矩形に凹部をそれぞれ１個ずつ形成している。この削除部分の数及び大きさは、バランスがとれるように調整すればよい。
【００１９】
上記のようにしてバランス調整用加工部４６を形成した回転子２６の回転軸２８の両端部に止め輪４８を取り付け、さらにボールベアリング３０，３２を取り付ける。
【００２０】
このようにして組み立てた回転子２６をモータフレーム２２内部に収納し、出力側のボールベアリング３０をブラケット２４に嵌合させる。その後、反出力側の金属製のブラケット３４を被せる。最後に、振動防止用のゴム３８，４０をブラケット２４，３４に取り付ける。
【００２１】
上記構成のブラシレスＤＣモータ１０を高速で回転させても、回転子２６はバランス調整用加工部４６によってバランスが調整されているため、従来のようにアンバランスによる騒音が発生しない。
【００２２】
（変更例）
上記実施形態では、バランス調整用加工部４６として、リング突部４４の一部を削除する構造としたが、これに代えてリング突部４４の内周側または外周側を変形してバランス調整用加工部４６を形成してもよい。
【産業上の利用可能性】
【００２３】
本発明は、エアーコンデショナーの室内機や室外機用のファンモータとして好適である。
【図面の簡単な説明】
【００２４】
【図１】本発明の一実施形態のモールドモータの縦断面図である。
【図２】回転子の斜視図である。
【図３】回転子の縦断面図である。
【符号の説明】
【００２５】
１０  モールドモータ
１８  固定子
２２  モータフレーム
２４  ブラケット
２６  回転子
２８  出力側の回転軸
２９  反出力側の回転軸
３０  ボールべアリング
３２  ボールべアリング
３４  ブラケット
３６  回転子鉄心
３８  回転軸
４０  マグネット
４２  カバー部
４４  リング突部
４６  バランス調整用加工部
４８  止め輪
【図１】
2007174842.tif 000003
【図２】
2007174842.tif 000004
【図３】
2007174842.tif 000005